(57)【要約】【課題】  風の抵抗を受けにくく、倒れにくいコーン用表示具を提供する。【解決手段】  コーン用表示具１は、縦方向Ｙ上方に位置する小径環状部２０と、小径環状部２０よりも縦方向Ｙ下方に位置し、小径環状部２０よりも内径が大きい大径環状部３０と、これら環状部２０，３０の間において縦方向Ｙに延びる一対の表示板４０とを含む。小径環状部２０および大径環状部３０は、ほぼ円形であってそれらの中心が縦方向Ｙに延びる中心線Ｐに一致する。小径環状部２０および大径環状部３０は、コーン２に対向する内周面２１，３１と、その反対面である外周面２２，３２と、上端部分２３，３３と、下端部分２４，３４とを有する円筒形である。一対の表示板４０は、中心線Ｐに対して対称に設けられ、それら表示板４０の間は周方向Ｘにおいて離間する。表示板４０の上部４１は小径環状部２０の外周面２２に位置し、下部４２は、大径環状部３０の内周面３１に位置する。【選択図】図１
0003181314.tif 000002
【実用新案登録請求の範囲】
【請求項１】
縦方向の上方に位置する小径環状部と、
前記小径環状部よりも前記縦方向下方に離間して配置されるとともに、それよりも内径が大きい大径環状部と、
前記小径環状部および前記大径環状部間に前記縦方向に延びる少なくとも２以上の表示板とを含み、
前記表示板は、前記小径環状部および前記大径環状部の周方向において互いに離間して取り付けられ、前記縦方向上部が前記小径環状部の外周に位置し、前記縦方向下部が前記大径環状部の内周に位置することを特徴とするコーン用表示具。
【考案の詳細な説明】
【技術分野】
【０００１】
この発明は、道路工事による交通規制などの注意を喚起したり、安全を確保したりするために用いるコーン（ロード・コーン）に取り付けられる表示具に関し、より詳細には、注意を喚起する文字等を記載することができる表示具に関する。
【背景技術】
【０００２】
従来、コーンに取り付けるとともに、注意を喚起する文字を表示した表示具が知られている。コーンは通常円錐形であるから、その周囲に直接文字を表示するのは困難であり、また、一度表示するとその表示を容易に変更することができない。これに対して、コーンとは別体の表示具に表示することによって、その表示が容易になる。また、それぞれ別の文字を表示した表示具を複数用意することによって、表示具を付け替えるだけで文字の種類を変更することができる。
【先行技術文献】
【特許文献】
【０００３】
【特許文献１】特開２００４−３４６４８８号公報（ＪＰ  ２００４−３４６４８８  Ａ）
【特許文献２】特開２００８−１３８３６７号公報（ＪＰ  ２００８−１３８３６７  Ａ）
【考案の概要】
【考案が解決しようとする課題】
【０００４】
しかしながら、特許文献１および特許文献２によれば、表示具は板状であり、これをコーンに取り付けた場合には、コーン表面から突出してしまう。したがって、表示具が風の抵抗を受けやすく、これを取り付けたコーンが倒れやすくなるという不都合があった。
【０００５】
この考案では、コーンに取り付けたときに、コーンが倒れやすくなるのを防ぐことができるコーン用表示具を提供することを課題とする。
【課題を解決するための手段】
【０００６】
この考案は、縦方向の上方に位置する小径環状部と、前記小径環状部よりも前記縦方向下方に離間して配置されるとともに、それよりも内径が大きい大径環状部と、前記小径環状部および前記大径環状部間に前記縦方向に延びる少なくとも２以上の表示板とを含み、前記表示板は、前記小径環状部および前記大径環状部の周方向において互いに離間して取り付けられ、前記縦方向上部が前記小径環状部の外周に位置し、前記縦方向下部が前記大径環状部の内周に位置することを特徴とする。
【考案の効果】
【０００７】
この考案によれば、環状部材がコーンの外周に接触、保持され、表示板がコーンの外周の沿って縦方向に延びるので、風などの抵抗が大きくなってしまうことがない。したがって、コーンが倒れやすくなるという不都合を解消することができる。
【図面の簡単な説明】
【０００８】
【図１】コーン用表示具の一実施形態を示した斜視図。
【図２】コーン用表示具をコーンに装着したときの正面図。
【図３】コーン用表示具をコーンに装着したときの側面図。
【考案を実施するための形態】
【０００９】
図１〜３を参照すれば、コーン用表示具１は、縦方向Ｙ上方に位置する小径環状部２０と、小径環状部２０よりも縦方向Ｙ下方に位置し、小径環状部２０よりも内径が大きい大径環状部３０と、これら環状部２０，３０の間において縦方向Ｙに延びる一対の表示板４０とを含む。小径環状部２０および大径環状部３０は、ほぼ円形であってそれらの中心が縦方向Ｙに延びる中心線Ｐに一致する。小径環状部２０および大径環状部３０は、それぞれコーン２に対向する内周面２１，３１と、その反対面である外周面２２，３２と、上端部分２３，３３と、下端部分２４，３４とを有する円筒形である。すなわち、小径環状部２０は、上端部分２３における直径と下端部分２４における直径はほぼ等しく、同様に、大径環状部３０は、上端部分３３の直径と下端部分３４の直径とはほぼ等しい。
【００１０】
一対の表示板４０は、中心線Ｐに対して対称に設けられ、それら表示板４０の間は周方向Ｘにおいて離間する。表示板４０の上部４１は小径環状部２０の外周面２２に位置し、下部４２は、大径環状部３０の内周面３１に位置する。これら小径環状部２０および大径環状部３０と、表示板４０とは、溶接、接着剤等によって互いに接合することができるほか、リベット等の締結部材を用いて固定することもできる。表示板４０には、例えば注意を喚起するための文字４３が印刷、刻印等によって表示される。
【００１１】
コーン２は、ベース部３と、ベース部３から縦方向Ｙへ延びる円錐部４とを含み、円錐部４は縦方向Ｙ上方へ向かってその径が小さくなる。コーン用表示具１は、コーン２に取り付けた際、小径環状部２０の下端部分２４および大径環状部３０の下端部分３４が、それぞれ円錐部４に接触、保持されるとともに、表示板４０が縦方向Ｙへと屈曲することなく延びるような寸法にすることが望ましい。このように取り付けられたコーン用表示具１は、小径環状部２０の上端部分２３および大径環状部３０の上端部分３３が、コーン２の円錐部４から離間する。コーン２から離間した上端部分２３および３３に表示板４０が接合されることによって、コーン２と小径環状部２０および大径環状部３０との接触を表示板４０が妨げるおそれがない。また、表示板４０をリベット等で小径環状部２０および大径環状部３０に固定する場合には、リベット等が表示板４０と環状部２０，３０との接触を妨げるのを予防することができる。
【００１２】
一対の表示板４０は、周方向Ｘに離間して設けられるとともに、小径環状部２０および大径環状部３０に沿って取り付けられるから、表示板４０とコーン２の円錐部４との間には空隙が形成される。風は表示板４０の周方向における間および表示部４０とコーン２との間を通過することができ、風による抵抗を小さく抑えることができる。したがって、風によってコーン２が倒れやすくなるのを防ぐことができる。さらに、表示板４０がコーン２の円錐部４に密着することがないので、円錐部４と表示板４０との摩擦によって着脱しにくくなるという不都合を回避することができる。
【００１３】
一対の表示板４０は、周方向Ｘに離間して設けられるので、これら離間部分からコーン２の円錐部４が視認可能となる。円錐部４には、蛍光塗料が塗布されたものが多く、コーン用表示具１を取り付けたとしても、蛍光塗料の認識を妨げることがない。この実施形態において、表示板４０は２つ設けられるが、３つ以上であってもよい。ただし、円錐部４が視認可能となるように、それらは周方向Ｘに離間して配置される。また、円錐部４の視認性を確保するために、少なくとも円錐部４の５０％以上がコーン用表示具１を介して視認できるように、その大きさを設定することが好ましい。
【００１４】
表示板４０は板状であるから、これに文字を記載するのは容易である。特に、表示板４０に文字等を記載してから小径環状部２０および大径環状部３０に取り付けることによって、より一層文字の記載が容易になる。なお、表示板４０に記載されるのは文字に限らず、絵や記号などでもよく、さらに、文字等の記載をすることなく、例えば、蛍光塗料を塗布することによって目立ちやすくすることもできる。また、表示板４０は、中心線に対してほぼ対称に配置されているから、特に道路において対向する両方の車や人が、同時に表示板４０を認識することができる。
【００１５】
コーン用表示具１を上記のような形状にしたので、これらを積み重ねることができる。したがって、保管場所を取らずコンパクトに収納できるとともに、持ち運びにも優れる。さらに、表示板４０の下部４２を大径環状部３０の内周面３１に位置させることによって、このように重ねた場合であっても、表示板４０が邪魔になることがない。
【００１６】
この実施形態では、環状部材を２つ設けているが、３つ以上であってもよい。また、環状部材は円形に限らず、楕円形、多角形等であってもよい。さらに、コーン用表示具１は、樹脂、金属、木材等、この技術分野において知られる通常の材質のものを用いることができる。環状部材は、筒状のものを用いているが、表示板４を保持できるものであれば、これに限られるものではない。
【符号の説明】
【００１７】
１  コーン用表示具
２０  小径環状部
２１  内周面
２２  外周面
３０  大径環状部
３１  内周面
３２  外周面
４０  表示板
４１  上部
４２  下部
【図１】
0003181314.tif 000003
【図２】
0003181314.tif 000004
【図３】
0003181314.tif 000005